(57)【特許請求の範囲】
【請求項１】
綴じ部材を備えた綴じ具の基板の固定面を表紙の被固定面に対向させて固定具により両者を固定する固定構造であって、
前記基板は基板穴を有し、前記表紙は表紙穴を有し、
前記固定具は、
前記基板穴と前記表紙穴とを貫通する鉛直部と、当該鉛直部に連設されて、当該貫通した状態で表紙の被固定面の反対面に添接される添接部と、を有する第一固定具と、
当該第一固定具に着脱自在であり、前記基板上の第一位置と第二位置との間を摺動可能に接合された第二固定具と、を含み、
前記第二固定具は、
前記基板上に立設された摺動案内壁によって前記基板上の第一位置と第二位置との間を摺動可能に規制され、
前記第一位置にあるとき、前記基板穴と前記表紙穴とを貫通した前記鉛直部に係合して前記基板及び前記表紙を挟持し、
前記第二位置にあるとき、前記第二固定具の前記基板に接する面に設けられた係合突部と、前記基板における所定の位置に設けられた係合穴と、が係合して第二固定具と基板とが固定される、
綴じ具と表紙との固定構造。
【請求項２】
前記係合穴は、前記係合突部が挿入されるように形成されるとともに、当該係合突部において前記第一位置に近い位置にある側面と当接するための係合端部を有する、
請求項１に記載の綴じ具と表紙との固定構造。
【請求項３】
前記係合突部は、
前記第二固定具に連設されて延出する可撓性を有する可撓板片の先端側に突設されている、
請求項１及び請求項２に記載の綴じ具と表紙との固定構造。
【請求項４】
前記第二固定具は、
前記基板上で前記第二位置から前記第一位置へ向かう方向の付勢力を受けている、
請求項１から請求項３のいずれか１項に記載の綴じ具と表紙との固定構造。
【請求項５】
前記第一固定具は、
前記表紙に設けられた第一表紙位置決め穴に挿入して当該表紙との位置決めをするための第一位置決め突部が前記添接部に立設され、
当該第一位置決め突部は、
前記鉛直部が前記基板穴と前記表紙穴とを貫通したときに前記第一表紙位置決め穴を貫いて前記被固定面から突出するように形成され、
前記鉛直部が前記基板穴と前記表紙穴とを貫通するとともに前記第二固定具が前記第二位置にあるとき、前記固定面を前記被固定面に対向させると前記係合突部および前記係合穴と仮想同一軸上に並ぶように位置する、
請求項１から請求項４のいずれか１項に記載の綴じ具と表紙との固定構造。
【請求項６】
前記第一位置決め突部は、
前記第二固定具が前記第二位置にあるとき、前記係合穴を貫通する、
請求項５に記載の綴じ具と表紙との固定構造。
【請求項７】
前記基板は基板穴と基板位置決め穴とを有し、前記表紙は表紙穴と第二表紙位置決め穴とを有し、
第一固定具は、前記基板位置決め穴と前記第二表紙位置決め穴とを貫通する第二位置決め突部を有し、
前記第二位置決め突部は、前記基板位置決め穴と前記第二表紙位置決め穴とを貫通すると前記基板穴と前記表紙穴とが略同一軸上に並ぶように誘導する位置であって、かつ前記基板において前記第二固定具が前記第一位置にあっても前記第二位置にあっても前記基板と前記第二固定具とが重合されない位置に設けられた、
請求項１に記載の綴じ具と表紙との固定構造。
【請求項８】
綴じ部材を備えた綴じ具と、
前記綴じ具の基板が固定される表紙と、
前記綴じ具の基板の固定面を前記表紙の被固定面に対向させて両者を固定する固定具と、を備えるファイルであって、
前記基板は基板穴を有し、前記表紙は表紙穴を有し、
前記固定具は、
前記基板穴と前記表紙穴とを貫通する鉛直部と、当該鉛直部に連設されて、当該貫通した状態で表紙の被固定面の反対面に添接される添接部と、を有する第一固定具と、
当該第一固定具に着脱自在であり、前記基板上の第一位置と第二位置との間を摺動可能に接合された第二固定具と、を含み、
前記第二固定具は、
前記基板上に立設された摺動案内壁によって前記基板上の第一位置と第二位置との間を摺動可能に規制され、
前記第一位置にあるとき、前記基板穴と前記表紙穴とを貫通した前記鉛直部に係合して前記基板及び前記表紙を挟持し、
前記第二位置にあるとき、前記第二固定具の前記基板に接する面に設けられた係合突部と、前記基板における所定の位置に設けられた係合穴と、が係合して第二固定具と基板とが固定される、
ファイル。
【発明の詳細な説明】
【技術分野】
【０００１】
本発明は、綴じ具と表紙との固定構造、及びファイルの技術に関する。
【背景技術】
【０００２】
書類を綴じる綴じ具、綴じ具を備えるファイルに関する技術がある。例えば、特許文献１には、紙綴器が開示されている。特許文献１に記載の紙綴器は、綴込帳の表紙に、紙綴柱、及び案内柱を開閉する取っ手が設けられた紙綴器の台が、鍔を有する取付金具と勾配栓とによって緊着されている。取付金具は、勾配栓が押し込まれるＵ字型の通路を有する帯状鉄板の両端に半円型の鍔がＵ字型の通路と直角に折り曲げられることで形成されている。このような取付金具を表紙に設けられた穴及び紙綴器の台に設けられた穴に貫入すると、鍔が表紙の下に止まり、勾配栓が押し込まれるＵ字型の通路のみが台状に突出する。勾配栓を細き先端より紙綴器の台上に突出したＵ字型の通路に押し込むと勾配栓の両端が一種の鍔となる。その結果、表紙と紙綴器とが緊着する。
【０００３】
また、例えば、特許文献２には、背表紙等の被固定面に固定されるベースと、このベース上に設けられた綴じ部材とを備えた綴じ具を、被固定面に着脱自在に固定するベース固定構造が開示されている。特許文献２のベース固定構造は、被固定面とベースとに穴をそれぞれ形成するとともに、これらの穴内に延びる部分を介して被固定面にベースを固定するベース固定具を設けている。また、ベース固定具は、穴内に位置する鉛直部と、この鉛直部に連設されて被固定面の外面側に位置可能な外側部とを含む第１の固定具と、この第１の固定具に着脱自在に設けられた第２の固定具とからなる。外側部を被固定面の外面に添設させた状態で第１の固定具に対して第２の固定具を相対変位させたときに、各固定具が相互に係合してベース及び被固定面を挟持する。
【先行技術文献】
【特許文献】
【０００４】
【特許文献１】実公昭０５−１５１３５号公報
【特許文献２】特許第３２３０４９７号公報
【発明の概要】
【発明が解決しようとする課題】
【０００５】
特許文献１に記載の技術では、取付金具を表紙に設けられた穴及び紙綴器の台に設けられた穴に貫入し、更に、取付金具のＵ字型の通路に勾配栓を押し込む必要がある。一方、特許文献２に記載の技術では、勾配栓を取付金具のＵ字型の通路に押し込む特許文献１に記載の技術と異なり、第１の固定具（フック部材４３）と第２の固定具（回転部材４４）とを連結した状態に組み立て、利用者が第２の固定具を回転させて水平状態にすることで、背表紙と綴じ具を挟み込んで固定する必要がある（例えば、特許文献２の段落００２４）。上記のように、特許文献２に記載の技術は、綴じ具を背表紙に取り付けて固定するためには、例えば、第１の固定具と第２の固定具とを組み立てる必要もあり、綴じ具を背表紙に取り付ける作業が煩雑であった。
【０００６】
本発明はこのような点に鑑みてなされたものであり、従来よりも容易に綴じ具の取り付け、取り外しを行える技術を提供することを課題とする。
【課題を解決するための手段】
【０００７】
本発明は、前記課題を解決するために、以下の手段を採用した。具体的には、本発明は、綴じ部材を備えた綴じ具の基板の固定面を表紙の被固定面に対向させて固定具により両
者を固定する固定構造であって、前記基板は基板穴を有し、前記表紙は表紙穴を有し、前記固定具は、前記基板穴と前記表紙穴とを貫通する鉛直部と、当該鉛直部に連設されて、当該貫通した状態で表紙の被固定面の反対面に添接される添接部と、を有する第一固定具と、当該第一固定具に着脱自在であり、前記基板上の第一位置と第二位置との間を摺動可能に接合された第二固定具と、を含み、前記第二固定具は、前記基板上に立設された摺動案内壁によって前記基板上の第一位置と第二位置との間を摺動可能に規制され、前記第一位置にあるとき、前記基板穴と前記表紙穴とを貫通した前記鉛直部に係合して前記基板及び前記表紙を挟持し、前記第二位置にあるとき、前記第二固定具の前記基板に接する面に設けられた係合突部と、前記基板における所定の位置に設けられた係合穴と、が係合して第二固定具と基板とが固定される。
【０００８】
本発明によれば、鉛直部が基板穴と表紙穴とを貫通した状態で、第二固定具を基板上で摺動させて、第一固定具に対して第二固定具を相対変位することで、各固定具が相互に係合して基板及び表紙を挟持する。つまり、第二固定具を基板上で摺動させるといった単純な動作により、綴じ具を表紙に取り付けたり、綴じ具を表紙から取り外したりすることができる。また、綴じ具は、表紙から取り外すことができるため、表紙を重ねて収容できる。その結果、綴じ具が固定された表紙を収容する場合と比較して、表紙を収容する段ボール箱のサイズを小さくすることができる。そのため、運搬コストや保管コストを低減できる。
【０００９】
また、第二固定具が基板に対して摺動可能に規制されて接合されているので、換言すると、摺動範囲が第一位置と第二位置との間で規制されており第二固定具が基板から脱落することがないので、第二固定具を紛失することがない。また、第二固定具を第一位置と第二位置との間で摺動させるだけで、綴じ具を表紙に取り付けたり、綴じ具を表紙から取り外したりすることができる。
【００１０】
第一位置は、綴じ具を表紙に固定する位置として機能することができる。第一位置では、第二固定具は、基板穴と表紙穴とを貫通する鉛直部と係合するため、綴じ具を表紙に強固に固定することができる。また、第二位置は、綴じ具を表紙から取り外す位置として機能することができる。第二位置では、第二固定具と基板とが固定され、綴じ具を表紙から取り外す状態が維持される。そのため、綴じ具を表紙から容易に取り外すことができる。
【００１１】
前記係合穴は、前記係合突部が挿入されるように形成されるとともに、当該係合突部において前記第一位置に近い位置にある側面と当接するための係合端部を有するようにしてもよい。
【００１２】
係合突部は、綴じ具の基板の固定面を表紙の被固定面に対向させるように綴じ具を表紙に添接させたときに第二位置にある第一固定具の位置決め突部が後述する第一表紙位置決め突部に確実に当接する程度の深さで係合穴に挿入されていればよい。換言すると、第一固定具を表紙に添接させたら第一表紙位置決め突部が第一位置決め穴を通って表紙を貫通するのであれば、係合突部は必ずしも係合穴を貫通していなくてもよい。
【００１３】
前記係合突部は、前記第二固定具に連設されて延出する可撓性を有する可撓板片の先端側に突設されていてもよい。係合突部が可撓板片に突設されることで、係合突部は可撓板片の撓みが許容される範囲内で移動することが可能となり、さらに、可撓板片の基端側よりも先端側の方が係合突部の移動範囲を多くすることができる。その結果、係合突部と係合穴との係合状態において係合突部が係合穴に入り込み、この状態で第二固定具に力を加えると可撓板片が撓むことにより、係合突部が係合穴から離脱する。つまり、容易に係合を解除することができる。
【００１４】
前記第二固定具は、前記基板上で前記第二位置から前記第一位置へ向かう方向の付勢力を受けているようにしてもよい。これにより、第二固定具は、第一位置の状態で維持される。第一位置は、綴じ具を表紙に固定する位置として機能することができるため、綴じ具を表紙に強固に固定することができる。また、付勢力に抗して第二固定具を第二位置に移動させるだけで、綴じ具を表紙から容易に取り外すことができる。
【００１５】
前記第一固定具は、前記表紙に設けられた第一表紙位置決め穴に挿入して当該表紙との位置決めをするための第一位置決め突部が前記添接部に立設され、当該第一位置決め突部は、前記鉛直部が前記基板穴と前記表紙穴とを貫通したときに前記第一表紙位置決め穴を貫いて前記被固定面から突出するように形成され、前記鉛直部が前記基板穴と前記表紙穴とを貫通するとともに前記第二固定具が前記第二位置にあるとき、前記固定面を前記被固定面に対向させると前記係合突部および前記係合穴と仮想同一軸上に並ぶように位置するようにしてもよい。
【００１６】
第一位置決め突部が添接部に立設されることで、第一固定具と表紙との位置決めを容易に行うことができる。また、第一位置決め突部は、第二固定具が第二位置にあるとき、係合突部および係合穴と仮想同一軸上に並ぶように位置する。換言すると、第一位置決め突部は、係合突部や係合穴の位置に移動させることができる。
【００１７】
そこで、前記第一位置決め突部は、前記第二固定具が前記第二位置にあるとき、前記係合穴を貫通するようにしてもよい。これにより、第二固定具が第二位置にあるとき、第一位置決め突部が、係合穴と係合している係合突部（係合穴に入り込んでいる係合突部）を押し込むことができる。その結果、係合突部と係合穴との係合を解除することができる。また、第二固定具が、基板上で第二位置から第一位置へ向かう方向の付勢力を受けている場合には、係合突部と係合穴との係合を解除することによって、付勢力により第二固定具を第一位置へ移動させることができる。つまり、第二固定具が第二位置にある状態の綴じ具を表紙の固定位置に添接させた状態で綴じ具を表紙側に押すだけで、綴じ具を表紙部に固定することができる。
【００１８】
また、前記基板は、位置決め突片を更に有し、前記表紙は、前記位置決め突片が挿入される位置決め穴を更に有し、前記位置決め突片は、これを前記位置決め穴に挿入すると前記基板穴と前記表紙穴とが略同一軸上に並ぶように誘導する位置であって、かつ前記基板における前記基板穴の位置よりも中央よりの位置に設けられようにしてもよい。
【００１９】
位置決め突片が、基板に設けられているため、第一固定具によらずに、表紙と綴じ具の位置決めを行うことができる。また、位置決め突片は、基板穴とは別の位置に設けられているため、表紙穴を鉛直部の外形に合わせて設計することができる。換言すると、表紙穴を必要以上に大きくする必要がない。そのため、鉛直部を表紙穴にフィットさせることができ、より安定的に綴じ具を表紙に固定することができる。また、鉛直部の外形に対して、表紙穴が大きい場合、鉛直部の周面と表紙穴の内面との間に隙間が生じ、綴じ具ががたつくことが懸念される。また、綴じ具ががたつくと、その衝撃により、表紙穴が広がってしまうこともある。位置決め突片を基板に設け、表紙穴を鉛直部の外形に合わせて設計することで、このような問題の発生を抑制できる。
【００２０】
また、前記基板穴の面積および前記表紙穴の面積は、ともに前記鉛直部最大断面積と略同じとしてもよい。これにより、所謂綴じ具のがたつきを抑えることができる。
【００２１】
上述した位置決め突片に代えて、以下の構成を採用してもよい。すなわち、前記基板は基板穴と基板位置決め穴とを有し、前記表紙は表紙穴と第二表紙位置決め穴とを有し、第一固定具は、前記基板位置決め穴と前記第二表紙位置決め穴とを貫通する第二位置決め突
部を有し、前記第二位置決め突部は、前記基板位置決め穴と前記第二表紙位置決め穴とを貫通すると前記基板穴と前記表紙穴とが略同一軸上に並ぶように誘導する位置であって、かつ前記基板において前記第二固定具が前記第一位置にあっても前記第二位置にあっても前記基板と前記第二固定具とが重合されない位置に設けられていてもよい。例えば、綴じ具の面積が小さく、位置決め突片を基板に設ける場所を確保することが困難な場合、上記構成を採用することが好適である。
【００２２】
このような第一固定具は、表紙の被固定面の反対面に添接されるにあたり、前述した第一位置決め突部が第一表紙位置決め穴に挿入されるとともに第二位置決め突部が第二表紙位置決め穴に挿入されるため、より確実に第一固定具と表紙との相対的位置関係を決定することができる。その結果、綴じ具ががたつくことにより鉛直部が表紙穴を広げてしまう虞を排除することができる。
【００２３】
これに加えて、第二位置決め突部が基板位置決め穴と第二表紙位置決め穴とに挿入されることで、第一固定具と表紙と基板との相対的な位置関係が決められることになるため、上述した位置決め突片を基板に設けることを省略することができる。
【００２４】
また、第二固定具は、前記第一位置としての固定位置側先端に、利用者が当該第二固定具を第一位置から第二位置に向けて押し込むための押圧スライド操作部を有するものでもよい。第二固定具が固定位置側先端に押圧スライド操作部を有することで、第二固定具を容易に摺動させることができる。その結果、更に容易に、綴じ具の取り付けや取り外しを行うことが可能となる。
【００２５】
前記押圧スライド操作部は、前記第二固定具と前記基板とが接する面に対して、その接する面から解除位置に向けて傾斜して立設されていてもよい。傾斜することで、利用者の手指等を斜めにあてることができ、平面や垂直面の場合と比較して、操作性が向上する。
【００２６】
また、前記第二固定具は、前記鉛直部と係合するためのクサビ部を有し、前記押圧スライド操作部は、摺動方向に直交する方向における中央に位置し、その方向の両側に押圧スライド操作部を囲むようにクサビ部が配設されていてもよい。第二固定具は、クサビ部に沿って摺動することができる。そして、押圧スライド操作部を幅方向の両側を囲むようにクサビ部が設けられているため、利用者が押圧スライド操作部を押し込む際に、摺動する方向（軌道）が安定する。その結果、更に容易に、綴じ具の取り付けや取り外しを行うことが可能となる。
【００２７】
前記押圧スライド操作部は、利用者の手指等との間の摩擦力を高めるための押圧補助面を有するようにしてもよい。これにより、滑り難くなり、操作性が向上する。また、綴じ具を表紙から取り外す際は、綴じ具に接続された第二固定具の押圧スライド操作部を押し込んで第二固定具を第二位置に移動させ、そのまま第二固定具の押圧スライド操作部を把持して持ち上げた方が効率がよい。押圧補助面により滑りにくくなるため、第二固定具に接続された綴じ具を持ち上げやすくなる。
【００２８】
ここで、本発明は、綴じ具と表紙との固定構造を含む、ファイルとして特定してもよい。具体的には、本発明は、綴じ部材を備えた綴じ具と、前記綴じ具の基板が固定される表紙と、前記綴じ具の基板の固定面を前記表紙の被固定面に対向させて両者を固定する固定具と、を備えるファイルであって、前記基板は基板穴を有し、前記表紙は表紙穴を有し、前記固定具は、前記基板穴と前記表紙穴とを貫通する鉛直部と、当該鉛直部に連設されて、当該貫通した状態で表紙の被固定面の反対面に添接される添接部と、を有する第一固定具と、当該第一固定具に着脱自在であり、前記基板上の第一位置と第二位置との間を摺動可能に接合された第二固定具と、を含み、前記第二固定具は、前記基板上に立設された摺
動案内壁によって前記基板上の第一位置と第二位置との間を摺動可能に規制され、前記第一位置にあるとき、前記基板穴と前記表紙穴とを貫通した前記鉛直部に係合して前記基板及び前記表紙を挟持し、前記第二位置にあるとき、前記第二固定具の前記基板に接する面に設けられた係合突部と、前記基板における所定の位置に設けられた係合穴と、が係合して第二固定具と基板とが固定される。
【発明の効果】
【００２９】
本発明によれば、従来よりも容易に綴じ具の取り付け、取り外しを行える技術を提供することができる。
【図面の簡単な説明】
【００３０】
【図１】図１は、第１実施形態に係るファイルにおいて、綴じ具と表紙本体との固定構造を説明する斜視図を示す。
【図２】図２は、第１実施形態に係るファイルにおいて、綴じ具と表紙本体との固定構造を説明する内側から見た分解斜視図を示す。
【図３】図３は、第１実施形態に係るファイルにおいて、綴じ具と表紙本体との固定構造を説明する裏側から見た分解斜視図を示す。
【図４】図４は、第１実施形態に係るファイルにおいて、ファイル本体を内側から見た平面図を示す。
【図５】図５は、第１実施形態に係るファイルにおいて、綴じ具のベース部材の平面図を示す。
【図６】図６は、図５のＡ−Ａ断面図を示す。
【図７】図７は、第１実施形態に係るファイルにおいて、綴じ具の基板を下側から見た図を示す。
【図８】図８は、第１実施形態に係るファイルにおいて、綴じ具の綴じ部材の斜視図を示す。
【図９】図９は、第１実施形態に係るファイルにおいて、第一固定具の平面図を示す。
【図１０】図１０は、図９のＡ矢視図を示す。
【図１１】図１１は、第１実施形態に係るファイルにおいて、第二固定具の平面図を示す。
【図１２】図１２は、第１実施形態に係るファイルにおいて、第二固定具の底面図を示す。
【図１３】図１３は、第１実施形態に係るファイルにおいて、第二固定具の正面図を示す。
【図１４】図１４は、第１実施形態に係るファイルにおいて、第二固定具の背面図を示す。
【図１５】図１５は、第１実施形態に係るファイルにおいて、第二固定具の右側面図を示す。
【図１６】図１６は、第１実施形態に係るファイルにおいて、第二固定具の左側面図を示す。
【図１７】図１７は、第１実施形態に係るファイルにおいて、第二固定具が第一位置にある、綴じ具の平面図を示す。
【図１８】図１８は、第１実施形態に係るファイルにおいて、第二固定具が第二位置にある、綴じ具の平面図を示す。
【図１９】図１９は、図１７に対応する透視図を示す。
【図２０】図２０は、図１８に対応する透視図を示す。
【図２１】図２１は、図１７のＡ−Ａ断面図を示す。
【図２２】図２２は、図１８のＡ−Ａ断面図を示す。
【図２３】図２３は、図１７のＢ矢視図を示す。
【図２４】図２４は、第２実施形態に係るファイルにおいて、綴じ具と表紙本体との固定構造を説明する、ファイル本体を内側から見た平面図を示す。
【図２５】図２５は、第２実施形態に係るファイルにおいて、綴じ具と表紙本体との固定構造を説明する側面図を示す。
【図２６】図２６は、第２実施形態に係るファイルにおいて、ファイル本体を内側から見た平面図を示す。
【図２７】図２７は、第２実施形態に係るファイルにおいて、綴じ具の基板の平面図を示す。
【図２８】図２８は、第２実施形態に係るファイルにおいて、第一固定具の平面図を示す。
【図２９】図２９は、第２実施形態に係るファイルにおいて、第一固定具の側面図を示す。
【図３０】図３０は、第２実施形態に係るファイルにおいて、第二固定具の平面図を示す。
【図３１】図３１は、第２実施形態に係るファイルにおいて、第二固定具の側面図を示す。
【図３２】図３２は、第２実施形態に係るファイルにおいて、第二固定具の正面図を示す。
【図３３】図３３は、第３実施形態に係るファイルにおいて、第二固定具が第一位置にある、綴じ具の平面図を示す。
【図３４】図３４は、第３実施形態に係るファイルにおいて、第二固定具が第二位置にある、綴じ具の平面図を示す。
【図３５】図３５は、第３実施形態に係るファイルにおいて、綴じ具と表紙本体との固定構造を説明する内側から見た分解斜視図を示す。
【図３６】図３６は、第３実施形態に係るファイルにおいて、綴じ具のベース部材の平面図を示す。
【図３７】図３７は、第３実施形態に係るファイルにおいて、第一固定具の斜視図を示す。
【図３８】図３８は、第３実施形態に係るファイルにおいて、第二固定具を表側から見た斜視図を示す。
【図３９】図３９は、第３実施形態に係るファイルにおいて、第二固定具を裏側から見た斜視図を示す。
【図４０】図４０は、第３実施形態に係るファイルにおいて、綴じ具と表紙本体との固定構造を説明する断面図を示す（第一位置）。
【図４１】図４１は、第３実施形態に係るファイルにおいて、綴じ具と表紙本体との固定構造を説明する断面図を示す（第二位置）。
【発明を実施するための形態】
【００３１】
次に、本発明に係る綴じ具と表紙との固定構造（以下、単に固定構造ともいう。）の実施形態について、図面に基づいて説明する。実施形態に係る固定構造は、書類等を綴じるための綴じ具を備えるファイルに適用されるものであり、本発明が有する技術的思想が同一の範囲である限り、特定の綴じ具や特定のファイルに限定適用されるものではない。なお、以下の説明では、ファイルを開いた状態で机上等に載置した場合において、利用者側に面する側を内側、その反対を裏側とし、利用者側から遠い側を上側、利用者側を下側とする。
【００３２】
＜第１実施形態＞
図１から図３に示すように、第１実施形態に係るファイル１０は、書類等を綴じ込むもので、ファイル本体１、綴じ具２、固定具５（第一固定具６、第二固定具７）を備える。
【００３３】
＜＜ファイル本体＞＞
図１から図３に加えて、図４も参照しながら説明すると、ファイル本体１は、本発明の表紙に相当し、背表紙１１、表表紙１２、裏表紙１３を備える。背表紙１１は、上下方向に細長い長方形であり、内側に綴じ具２が固定される。表表紙１２及び裏表紙１３は、綴じ込まれる書類よりも一回り大きい面積を有する長方形であり、背表紙１１の左右方向の両端部に開閉自在に夫々連なっている。
【００３４】
ここで、背表紙１１には、表紙穴１４、第一位置決め穴１５、第二位置決め穴１６が形成されている。表紙穴１４には、後述する第一固定具６の鉛直部６１が貫通する。第１実施形態に係る表紙穴１４は、鉛直部６１の外形に合わせて四角形に形成されており、鉛直部６１の位置に合わせて４つ形成されている。第一位置決め穴１５、及び第二位置決め穴１６は、綴じ具２を位置決めする。第一位置決め穴１５は、後述する第一固定具６の係合突起部６３が貫通する。第一位置決め穴１５は、係合突起部６３の外形に合わせて円形に形成されており、係合突起部６３の位置に合わせて２つ形成されている。第二位置決め穴１６は、後述する綴じ具２の位置決め突片３３１を収容する。第二位置決め穴１６は、位置決め突片３３１を収容できるよう左右方向に長い長方形に形成されており、位置決め突片３３１の位置に合わせて２つ形成されている。
【００３５】
＜＜綴じ具＞＞
次に、図１から図３に加えて、図５から図８も参照しながら、綴じ具２について説明する。綴じ具２は、背表紙１１に固定されるベース部材３、ベース部材の側壁部３１，３１に対して着脱自在な綴じ部材４（第一綴じ部材４１、第二綴じ部材４２）を備える。第一綴じ部材４１と第二綴じ部材４２が組み合わされた状態でベース部材３に取り付けられることで、書類等の綴じ込みが行われる。なお、綴じ具２の書類等を綴じる機能は、従来の綴じ具と本質的に同質である。そこで、書類等を綴じる機能に関する説明は簡単にし、固定する機能に関する構成の説明を詳しく行うものとする。
【００３６】
ベース部材３は、背表紙１１に固定される基板３３、基板３３の左右方向の両縁に回動自在に連なるベース部材の側壁部３１，３１、ベース部材の側壁部３１，３１のそれぞれに設けられた綴込爪部３２を備える。また、第一綴じ部材４１は、第一綴じ部材の側壁部４１１、第一綴じ部材の側壁部４１１の中央部分に設けられた第一綴じ部材の窪み部４１２、第一綴じ部材の側壁部４１１から延出する２本のパイプ管４１３を有する。第二綴じ部材４２は、第二綴じ部材の側壁部４２１、第二綴じ部材の側壁部４２１の中央部分に設けられた第二綴じ部材の窪み部４２２と、第二綴じ部材の側壁部４２１から延出する足管４２３を有する。足管４２３がパイプ管４１３に挿入されることで、第一綴じ部材４１と第二綴じ部材４２が組み合わされ、そしてその組み合わされた状態で、ベース部材３のそれぞれのベース部材の側壁部３１，３１に第一綴じ部材の側壁部４１１と第二綴じ部材の側壁部４２１が接続される。具体的には、ベース部材の側壁部３１，３１のそれぞれに設けられた綴込爪部３２，３２が、第一綴じ部材の窪み部４１２と第二綴じ部材の窪み部４２２に引っ掛かり、書類等を綴じ込む状態となる（図１参照）。なお、上記綴じ具２の構成は、一例であり、綴じ具２に代えて、他の様々な綴じ具を採用することができる。
【００３７】
ここで、ベース部材３の基板３３には、複数種類の穴等が形成されている。中央部分には、ファイル本体１の背表紙１１に形成された第二位置決め穴１６に収容される位置決め突片３３１が形成されている。位置決め突片３３１は、左右方向（背表紙の短手方向）に延びる片であって、裏側に突出している。位置決め突片３３１は、上下方向に間隔をあけて２カ所形成されている。各箇所には、一つの第二位置決め穴１６に収容される位置決め突片３３１であって、対向する一対の位置決め突片３３１が形成されている。位置決め突片３３１が第二位置決め穴１６に収容されると、背表紙１１の内側面上における、ベース部材３の移動が規制される。
【００３８】
２カ所に形成された位置決め突片３３１の内側には、付勢部材８を固定する、付勢部材の第一固定片３３２、付勢部材の第二固定片３３３が形成されている。ここで、例えば図２に示すように、第一実施形態に係る付勢部材８は、ねじりばねとも言われるもので、コイル部８１と、コイル部８１から延びる２本の脚（第一脚部８２、第二脚部８３）からなる。付勢部材の第一固定片３３２は、付勢部材８の第一脚部８２を固定する。付勢部材の第一固定片３３２は、左右方向に延びており、基板３３から内側に立ち上げられ、先端が折り曲げられている。下側の付勢部材の第一固定片３３２は、先端が下側に向けて折り曲げられ、上側の付勢部材の第一固定片３３２は、先端が上側に向けて折り曲げられている。２つの付勢部材の第一固定片３３２は、斜向かいに配置されている。
【００３９】
付勢部材の第二固定片３３３は、付勢部材８のコイル部８１が挿入され、コイル部８１を固定する。付勢部材の第二固定片３３３は、上下方向に延びており、基板３３から内側に立ち上げられ、先端が折り曲げられている。付勢部材の第二固定片３３３は、付勢部材の第一固定片３３２と位置決め突片３３１との間、かつ、ベース部材の側壁部３１近傍に形成されている。下側の付勢部材の第二固定片３３３は、右側のベース部材の側壁部３１の近傍に形成されている。上側の付勢部材の第二固定片３３３は、左側のベース部材の側壁部３１の近傍に形成されている。
【００４０】
２カ所に形成された位置決め突片３３１の左右方向の両側には、摺動案内壁３３４が対向して形成されている。摺動案内壁３３４は、上下方向に延びており、基板３３から内側に立ち上げられ、先端が折り曲げられている。摺動案内壁３３４は、第二固定具７の左右方向の両側縁を支持して、第二固定具７を第一位置と第二位置との間で摺動させる。第一位置は、綴じ具２を背表紙１１に固定する位置であり、第二位置は、綴じ具２を背表紙１１から取り外す位置である。
【００４１】
また、２カ所に形成された位置決め突片３３１の近傍には、綴じ具２を背表紙１１から取り外す第二位位置において、後述する第二固定具７の係合突部７３と係合する円形の係合穴３３５が形成されている。係合穴３３５は、基板３３の上下方向（長手方向）に延び左右方向の中心を通る仮想軸（図５において点線で示す）上に形成されている。下側の係合穴３３５は、下側の位置決め突片３３１の下側近傍に形成され、上側の係合穴３３５は、上側の位置決め突片３３１の上側近傍に形成されている。
【００４２】
また、係合穴３３５の近傍であって、上記仮想軸と同一軸上には、綴じ具２を背表紙１１に固定する第一位置及び第一位置と第二位置の移動の際に、第二固定具７の係合突部７３が収容される、上下方向に延びる細長の収容穴３３６が形成されている。下側の収容穴３３６は、下側の係合穴３３５の下側近傍に形成され、上側の収容穴３３６は、上側の係合穴３３５の上側近傍に形成されている。
【００４３】
また、基板３３の上下方向の両側縁の近傍には、両側縁に沿って、内側に膨らむ直線状の規制部３３７が形成されている。規制部３３７は、第二固定具７の移動を規制する。より詳細には、規制部３３７は、第二固定具７が、第一位置よりも更に基板３３の上下方向の両側縁側に移動しないよう第二固定具７の移動を規制する。加えて、規制部３３７を基板３３に対して隆起させることにより、複数種類の穴等が形成されることで低下した基板３３の曲げ強度を向上させる。
【００４４】
また、２カ所に形成された収容穴３３６の左右方向の両側には、綴じ具２を背表紙１１に固定する第一位置において、後述する第一固定具６の鉛直部６１が貫通する四角形の基板穴３３８が形成されている。下側の基板穴３３８は、下側の収容穴３３６の両側、かつ、下側の摺動案内壁３３４の下側に形成されている。上側の基板穴３３８は、上側の収容
穴３３６の両側、かつ、上側の摺動案内壁３３４の上側に形成されている。
【００４５】
＜＜第一固定具＞＞
次に、図１から図３に加えて、図９、図１０も参照しながら、第一固定具６について説明する。第一固定具６は、後述する第二固定具７と係合して、綴じ具２をファイル本体１の背表紙１１に固定する。第一固定具６は、添接部６２、鉛直部６１、係合突起部６３を備える。添接部６２は、平面視において左右方向に長い長方形のプレートからなり、ファイル本体１の背表紙１１の裏側に添接される。添接部６２は、一部が突出しており、この突出した部分に係合突起部６３が形成されている。鉛直部６１は、長手方向に２つ形成され、添接部６２から立設しており、背表紙１１に形成された表紙穴１４とベース部材３の基板３３に形成された基板穴３３８を貫通する。鉛直部６１は、綴じ具２を背表紙１１に固定する第一位置において、第二固定具７と係合する。係合突起部６３は、円柱状であり、添接部６２の突出した部分から立設しており、背表紙１１に形成された第一位置決め穴１５を貫通する。また、係合突起部６３は、第二固定具７が第二位置にあるとき、綴じ具２の基板３３に形成された係合穴３３５を貫通する。第二固定具７が第二位置にあるとき、係合突起部６３が、係合穴３３５と係合している、後述する第二固定具７の係合突部７３（係合穴３３５に入り込んでいる係合突部７３）を押し込むことができる。その結果、係合突起部６３は、係合突部７３と係合穴３３５との係合を解除する。
【００４６】
ここで、鉛直部６１について、更に詳しく説明する。鉛直部６１は、軸部６１１と、軸部６１１の頂部に添接部６２と略平行に連なる係止板６１２と、この係止板６１２の左右方向の両端部に設けられ、添接部６２側へ突出したガイド部６１３と、軸部６１１の左右方向の両側に添接部６２から立設する起立片６１４，６１４と、を備える。係止板６１２は、第一位置において、第二固定具７の内側方向への動きを規制するとともに、第二固定具７の上下方向への動きを規制する。ガイド部６１３は、第一固定位置において、第二固定具７のガイド溝７２２に収容される。軸部６１１は、添接部６２と係止板６１２とを接続する。起立片６１４，６１４は、軸部６１１を保護する。例えば、起立片６１４，６１４設けない場合、軸部６１１の側面が背表紙１１に形成された表紙穴１４の左右方向の縁と直接接触する。この場合、軸部６１１に過度の負荷がかかる虞がある。第一実施形態に係る第一固定具６は、起立片６１４，６１４を備えることで、軸部６１１への負荷を抑制することができる。
【００４７】
＜＜第二固定具＞＞
次に、図１から図３に加えて、図１１から図１６も参照しながら、第二固定具７について説明する。第二固定具７は、第一固定具６と係合して、綴じ具２をファイル本体１の背表紙１１に固定する。第二固定具７は、摺動案内壁との接触部７１、クサビ部７２、係合突部７３、付勢部材の受部７４、カバー部７５、押圧スライド操作部７６、を備える。
【００４８】
摺動案内壁との接触部７１は、第二固定具７の左右方向の直線状の両端部であり、摺動案内壁３３４内に収容される。摺動案内壁との接触部７１の左右方向内側には、第一位置において、鉛直部６１と係合するクサビ部７２が形成されている。換言すると、クサビ部７２は、左右方向の中央に形成された押圧スライド操作部７６を囲むように、押圧スライド操作部７６の左右方向の両側に形成されている。クサビ部７２は、鉛直部６１の軸部６１１が貫通する、上下方向に延びる直線状の開口部７２１と、開口部７２１の左右方向の両側に形成され、鉛直部６１のガイド部６１３を収容する、直線状のガイド溝７２２を含む。ガイド溝７２２は、ガイド部６１３の断面形状に対応して設計されている。第一位置では、ガイド溝７２２へガイド部６１３が収容され、第一固定具６の鉛直部６１を構成する係止板６１２がガイド溝７２２を覆う。そのため、第二固定具７の内側方向への移動が第一固定具６によって規制されることになる。
【００４９】
押圧スライド操作部７６は、利用者が、第二固定具７を第一位置から第二位置に向けて押し込むためのもので、左右方向の中央、かつ、上下方向の一方の端部に形成されている。第１実施形態では、押圧スライド操作部７６は、手指等で押し込む際に、手指等が第一綴じ部材の側壁部４１１から延出する２本のパイプ管４１３と接触し難いように、第二固定具７の端部よりも更に突出している。より詳細には、第二位置においても、平面視において押圧スライド操作部７６がパイプ管４１３よりも上下方向の端部側に位置するように、押圧スライド操作部７６が第二固定具７の端部よりも更に突出している。
【００５０】
また、押圧スライド操作部７６は、傾斜面によって構成されている。傾斜面は、上下方向において端部側から中央に向けて徐々に高くなるように、換言すると第一位置から第二位置に向けて第二位置側が高くなるように傾斜している。更に、傾斜面には、利用者の手指等との間で摩擦力を高めるための押圧補助面７６１が形成されている。第１実施形態の押圧補助面７６１は、左右方向に延びる複数の凹凸によって構成されている。押圧補助面７６１は、ドット状の凹凸でもよい。
【００５１】
押圧スライド操作部７６の基端側、換言すると、クサビ部７２の間の領域には、切り欠き７７が形成されている。この切り欠き７７には、可撓性を有する可撓板片７８が形成されている。可撓板片７８は、基端が切り欠き７７の縁のうち、押圧スライド操作部７６の先端とは反対側に位置する縁に連なっている。先端は、自由端となっている。そして、自由端である先端側には、裏側に向けて突出する係合突部７３が形成されている。係合突部７３は、第一位置及び第一位置と第二位置の移動の際においては、ベース部材３の基板３３に形成された収容穴３３６に収容される。また、係合突部７３は、第二位置では、ベース部材３の基板３３に形成された係合穴３３５に係合される。なお、係合突起７３の先端は、係合孔３３５と係合し易いように傾斜面が形成されている。
【００５２】
付勢部材の受部７４は、付勢部材８の第二脚部８３と接して、付勢力を第二固定具７に伝達する。付勢部材の受部７４は、カバー部７５の裏側から立設した、左右方向に延びる壁によって構成されている（例えば、図１２参照）。また、付勢部材の受部７４は、左右方向の両端部が摺動案内壁との接触部７１と連なっている。
【００５３】
カバー部７５は、全体として四角形の板状であり、付勢部材８を覆う。付勢部材の受部７４は、カバー部７５の裏側に立設されている。カバー部７５は、第一カバー部７５１と、第二カバー部７５２とを含む。第一カバー部７５１は、第二位置において、第二カバー部７５２の裏側に収まるよう、第二カバー部７５２よりも低い位置に形成されている。一方、第二カバー部７５２は、第二位置において、第一カバー部７５１を覆うように、第一カバー部７５１よりも高く、かつ、第二カバー部７５２よりも広い面積を有している。カバー部７５を上記のような入れ子構造とすることで、少ないスペースで、第一位置と第二位置との移動距離が確保されている。また、第二カバー部７５２の表面には、操作方向を表す矢印が刻まれている。
【００５４】
＜＜綴じ具の脱着方法＞＞
次に、綴じ具の取り外し、及び固定方法について、第一固定具６や第二固定具７の動作も交えて説明する。図１７、図１９、図２１、図２２に示すように、第一位置では、第一固定具６と第二固定具７が係合し、綴じ具２がファイル本体１の背表紙１１に固定されている。第一位置では、付勢部材８によって第二固定具７が付勢されており、２つの第二固定具７は離れた状態にある。下側の第二固定具７と上側の第二固定具７は、動作の向きが逆向きである以外は、基本的には同様の動作をする。そこで、以下の説明では、下側の第二固定具７を例に説明する。
【００５５】
下側の第二固定具７は、付勢部材の受部７４が付勢部材８の第二脚部８３と接して下側
に向けて付勢されている。そのため、下側の第二固定具７は、付勢部材８により、上側への移動が規制されている。また、第二固定具７における、摺動案内壁との接触部７１は、摺動案内壁３３４に収容される。そのため、下側の第二固定具７は、摺動案内壁３３４により、左右方向への移動が規制されている。また、第二固定具７のクサビ部７２は、第一固定具６の鉛直部６１と係合している。より詳細には、第一固定具６は、鉛直部６１が背表紙１１に形成された表紙穴１４とベース部材３の基板３３に形成された基板穴３３８を貫通している。また、鉛直部６１を構成するガイド部６１３は、第二固定具７のガイド溝７２２に収容されている。また、係止板６１２は、第一位置において、裏側がガイド溝７２２の縁と接し、上下方向の中央よりの端部がカバー部７５の端部と接している。そのため、係止板６１２は、第一位置において、第二固定具７の内側方向への動きを規制するとともに、第二固定具７の上下方向への動きを規制している。その結果、下側の第二固定具７は、第一固定具６と係合することで、左右方向、内側、下側への移動が規制される。換言すると、第一位置では、下側の第一固定具６は、付勢力に抗う上側への移動のみが許容されている。なお、係合突部７３は、第一位置では、ベース部材３の基板３３に形成された収容穴３３６に収容されている。
【００５６】
第二固定具７を第一位置から第二位置へ移動する場合、手指等で押圧スライド操作部７６を押し込む。下側の第二固定具７については、押圧スライド操作部７６の傾斜面に手指等を当て、上側に押し込む。例えば、下側の第二固定具７の押圧スライド操作部７６に親指を当て、上側の第二固定具７の押圧スライド操作部７６に人差し指を当て、親指と人差し指と引き合わせるように夫々の第二固定具７を押し込むとよい。
【００５７】
押圧スライド操作部７６を押し込むと、第二固定具７は、第一位置から第二位置へ向けて移動を開始する。第一位置から第二位置へ移動する際も、下側の第二固定具７は、左右方向、内側、下側への移動が規制されている。第二位置へ近づくと、ベース部材３の基板３３に形成された収容穴３３６に収容され、収容穴３３６内を移動していた、可撓板片７８に形成された係合突部７３が、収容穴３３６の上側縁に接する。更に、押圧スライド操作部７６を押し込むと、可撓板片７８が内側に撓み、これにともない可撓板片７８に形成された係合突部７３も内側に移動する。そして、係合突部７３は、収容穴３３６の上側の縁を乗り越える。更に、押圧スライド操作部７６を押し込むと、可撓板片７８に形成された係合突部７３は、収容穴３３６と同一軸線上にある係合穴３３５と係合する。係合突部７３が係合穴３３５と係合する位置が、第二位置である。
【００５８】
第二位置では、第二固定具７のクサビ部７２と第一固定具６の鉛直部６１との係合が解除される。また、係合突部７３が係合穴３３５と係合しているため、第二固定具７には付勢部材８による付勢力が作用しているものの、第二位置が維持される。ガイド部６１３は、ガイド溝７２２から脱し、係止板６１２も裏側がガイド溝７２２の縁と離れ、係止板６１２の上側の端部もカバー部７５の端部と離れる。特に、係止板６１２は、第一位置において、第二固定具７の内側方向への動きを規制していたが、この規制が解除される。その結果、第二固定具７が接続されている綴じ具２を内側に移動させることが可能となる。つまり、綴じ具２をファイル本体１の背表紙１１から取り外すことが可能となる。
【００５９】
綴じ具２をファイル本体１の背表紙１１に取り付ける場合には、基本的には上記と逆の動作になる。まず、第一固定具６の鉛直部６１が、背表紙１１に形成された表紙穴１４とベース部材３の基板３３に形成された基板穴３３８とに貫通される。次に、第二固定具が第二位置にある状態の綴じ具を表紙の固定位置に添接させた状態でその綴じ具を表紙側に押し込むことに伴って第二固定具７が裏側へ向けて押し込まれる。第二固定具７が裏側へ向けて押し込まれると、係合突起部６３は、綴じ具２の基板３３に形成された係合穴３３５に入り込む。係合穴３３５には係合突部７３が収容されているが、係合突起部６３が係合穴３３５に入り込むと、係合突起部６３が、第二固定具７の係合突部７３（係合穴３３
５に入り込んでいる係合突部７３）を押し込む。押し込まれた係合突部７３は、係合穴３３５から脱する。下側の第二固定具７には、下側への付勢力が作用しているため、下側の第二固定具７は、下側に移動し、第一位置へ至る。その結果、綴じ具２がファイル本体１の背表紙１１に固定される。
【００６０】
＜＜効果＞＞
第１実施形態に係るファイル１０によれば、第一固定具６の鉛直部６１が基板穴３３８と表紙穴１４とを貫通した状態で、第二固定具７を基板３３上で摺動させ、第一固定具６に対して第二固定具７を相対変位することで、第一固定具６及び第二固定具７が相互に係合して綴じ具２の基板３３及びファイル本体１の背表紙１１を挟持する。つまり、第二固定具７を基板３３上で摺動させるといった単純な動作により、綴じ具２をファイル本体１の背表紙１１に取り付けることができる。また、第二固定具７が裏側へ向けて押し込まれると、係合突起部６３が、綴じ具２の基板３３に形成された係合穴３３５に入り込む。係合突起部６３が係合穴３３５に入り込むと、係合突起部６３が、係合穴３３５に入り込んでいる係合突部７３を押し込むため、押し込まれた係合突部７３が、係合穴３３５から脱する。下側の第二固定具７には、下側への付勢力が作用しているため、下側の第二固定具７は、下側に移動し、第一位置へ至る。つまり、つまり、第二固定具７を裏側に押し込むといった単純な動作により、綴じ具２をファイル本体１の背表紙１１に固定することができる。
【００６１】
また、綴じ具２は、ファイル本体１から取り外すことができるため、ファイル本体１を重ねて収容できる。その結果、綴じ具２が固定されたファイル本体１を収容する場合と比較して、ファイル本体１を収容する段ボール箱のサイズを小さくすることができる。そのため、運搬コストや保管コストを低減できる。
【００６２】
また、第二固定具７が綴じ具２の基板３３に接続されているため、第二固定具７を紛失することがない。また、第二固定具７は、綴じ具２の基板３３上で第二位置から第一位置へ向かう方向の付勢力を受けている。そのため、第二固定具７は、第一位置の状態で維持されるため、綴じ具２をファイル本体１の背表紙１１に強固に固定することができる。
【００６３】
また、位置決め突片３３１が、基板３３に設けられているため、第一固定具６によらずに、表紙本体１の背表紙１１と綴じ具２の位置決めを行うことができる。また、位置決め突片３３１は、基板穴３３８とは別の位置に設けられているため、表紙穴１４を鉛直部６１の外形に合わせて設計することができる。換言すると、表紙穴１４を必要以上に大きくする必要がない。そのため、鉛直部６１を表紙穴１４にフィットさせることができ、より安定的に綴じ具２を背表紙１１に固定することができる。また、鉛直部６１の外形に対して、表紙穴１４が大きい場合、鉛直部６１の周面と表紙穴１４の内面との間に隙間が生じ、綴じ具２ががたつくことが懸念される。また、綴じ具２ががたつくと、その衝撃により、表紙穴１４が広がってしまうこともある。位置決め突片３３１を基板３３に設け、表紙穴１４を鉛直部６１の外形に合わせて設計することで、このような問題の発生を抑制できる。
【００６４】
また、第二固定具７が固定位置側先端に押圧スライド操作部７６を有することで、第二固定具７を容易に摺動させることができる。その結果、更に容易に、綴じ具２の取り付けや取り外しを行うことが可能となる。また、押圧スライド操作部７６は、傾斜していることから、利用者の手指等を斜めにあてることができ、平面や垂直面の場合と比較して、操作性が向上する。
【００６５】
また、第二固定具７は、クサビ部７２に沿って摺動することができる。そして、押圧スライド操作部７６を幅方向の両側を囲むようにクサビ部７２が設けられているため、利用
者が押圧スライド操作部７６を押し込む際に、摺動する方向（軌道）が安定する。その結果、更に容易に、綴じ具２の取り付けや取り外しを行うことが可能となる。
【００６６】
また、押圧スライド操作部７６は、利用者の手指等との間の摩擦力を高めるための押圧補助面７６１を有している。そのため、滑り難くなり、操作性が向上する。また、綴じ具２を背表紙１１から取り外す際は、綴じ具２に接続された第二固定具７の押圧スライド操作部７６を押し込んで第二固定具７を第二位置に移動させ、そのまま第二固定具７の押圧スライド操作部７６を把持して持ち上げた方が効率がよい。押圧補助面７６１により滑りにくくなるため、第二固定具７に接続された綴じ具２を持ち上げやすくなる。
【００６７】
なお、第一実施形態に係るファイル１０は、例えば、付勢部材８、及び付勢部材の第一固定片３３２、付勢部材の第二固定片３３３を省略し、より簡易な構成としてもよい。また、第一固定具６は、２つの鉛直部６１と、係合突起部６３を備えるが、夫々個別の添接部６２とし、別パーツとしてもよい。また、例えば、係合突起部６３は、背表紙１１の内側面に設けてもよい。
【００６８】
＜第２実施形態＞
第２実施形態に係るファイル１０は、第１実施形態と同じく書類等を綴じ込むものであるが、ファイル本体１の背幅が第１実施形態よりも狭いものである。これに伴い、綴じ具２の基板３３、第一固定具６、第二固定具７が第１実施形態と異なっている。なお、第１実施形態と同様の構成（同等の機能を有するものを含む）については、同一符号を付し、説明を割愛する。
【００６９】
＜＜ファイル本体＞＞
図２４、図２５に示すように、ファイル本体１は、背表紙１１、表表紙１２、裏表紙１３を備える。背表紙１１は、第１実施形態に係る背表紙１１よりも左右方向の長さが狭く、内側に綴じ具２が固定されている。なお、図２４、図２５では、上側の第二固定具７は、第一位置にあり、下側の第二固定具７は、第二位置にある。
【００７０】
図２４、図２５に加えて、図２６を参照すると、背表紙１１には、表紙穴１４、第一位置決め穴１５、第二位置決め穴１６が形成されている。表紙穴１４は、第二固定具の鉛直部６１が貫通する。第２実施形態に係る表紙穴１４は、鉛直部６１の外形に合わせて四角形に形成されており、鉛直部６１の位置に合わせて２つ形成されている。第一位置決め穴１５、及び第二位置決め穴１６は、綴じ具２を位置決めする。第一位置決め穴１５は、第一固定具６の係合突起部６３が貫通する。第一位置決め穴１５は、係合突起部６３の外形に合わせて円形に形成されており、係合突起部６３の位置に合わせて２つ形成されている。第二位置決め穴１６は、本発明の第二表紙位置決め穴に相当し、後述する第一固定具６の位置決め突起６８が貫通する。第二位置決め穴１６は、位置決め突起６８の外形に合わせて円形であり、位置決め突起６８の位置に合わせて２つ形成されている。
【００７１】
＜＜綴じ具＞＞
次に、図２４、図２５に加えて、図２７も参照しながら、綴じ具２について説明する。第二実施形態に係る綴じ具２は、第１実施形態と比較して背幅が狭く、また、基板３３に形成される穴等の位置や形状が異なっている。そこで、以下、基板３３を中心に説明する。
【００７２】
ベース部材３の基板３３の中央部分には、付勢部材８を固定する、付勢部材の第一固定片３３２、付勢部材の第二固定片３３３が形成されている。第２実施形態に係る付勢部材８は、第１実施形態と基本的には同じであり、ねじりばねとも言われるもので、コイル部８１と、コイル部８１から延びる２本の脚（第一脚部８２、第二脚部８３）からなる（図
２４において点線で示す）。付勢部材の第一固定片３３２は、付勢部材８の第一脚部８２を固定する。付勢部材の第一固定片３３２は、左右方向に延びており、基板３３から内側に立ち上げられ、先端が折り曲げられている。下側の付勢部材の第一固定片３３２は、先端が下側に向けて折り曲げられ、上側の付勢部材の第一固定片３３２は、先端が上側に向けて折り曲げられている。２つの付勢部材の第一固定片３３２は、斜向かいに配置されている。
【００７３】
付勢部材の第二固定片３３３は、付勢部材８のコイル部８１が挿入され、コイル部８１を固定する。付勢部材の第二固定片３３３は、上下方向に延びており、基板３３から内側に立ち上げられ、先端が折り曲げられている。付勢部材の第二固定片３３３は、付勢部材の第一固定片３３２と位置決め突片３３１との間、かつ、ベース部材の側壁部３１の近傍に形成されている。下側の付勢部材の第二固定片３３３は、左側のベース部材の側壁部３１の近傍に形成されている。上側の付勢部材の第二固定片３３３は、右側のベース部材の側壁部３１の近傍に形成されている。
【００７４】
基板３３の上側と下側とで、基本的な構成は同じであるため、以下、基板３３の下側を例に説明する。下側の付勢部材の第一固定片３３２及び付勢部材の第二固定片３３３の更に下側には、摺動案内壁３３４が左右に対向して形成されている。これらの摺動案内壁３３４はともに上下方向に延びており、左側の摺動案内壁３３４は、基板３３に略「コ」の字状の切欠線が設けられ、その切欠線に囲まれた部分が折り曲げられて内側に立ち上げられ、当該立ち上げられた部分の先端がさらに中央に向けて折り曲げられて形成されている。右側の摺動案内壁３３４は、左側の摺動案内壁３３４を形成する略「コ」の字状の切欠線に対向する位置に略「逆コ」の字状の切欠線が設けられ、その切欠線に囲まれた部分が左側の摺動案内壁３３４と同様に折り曲げられて形成されている。摺動案内壁３３４は、第二固定具７の左右方向の両側縁を支持して、第二固定具７を第一位置と第二位置との間で摺動させる。
【００７５】
下側の摺動案内壁３３４が形成されることにより生じた略四角形の切り欠き穴は、綴じ具２を背表紙１１から取り外す第二位置において、第二固定具７の係合突部７３と係合する略四角形の係合穴３３５として形成されている。係合穴３３５は、係合穴３３５の端辺のうち、更に下側に位置する収容穴３３６に最も近い端辺から係合穴３３５の中央に向けて延出する係合舌片３３５１が形成されている。さらに、係合舌片３３５１の先端には、第二固定具７が第二位置にあるときに第一位置へ向かう方向の付勢力を受けることにより係合突部７３に当接してこれと係合するための湾曲した係合端部３３５２が形成されている。また、係合孔３３５のうち、係合端部３３５２の対向する位置には、付勢部材の第一固定片３３２及び付勢部材の第二固定片３３３側に膨らむように湾曲した第二係合端部３３５３が形成されている。第二係合端部３３５３は、第二固定具７を第一位置から第二位置にむけて摺動した際に、係合突部７３に当接する。
【００７６】
下側の摺動案内壁３３４の更に下側には、綴じ具２を背表紙１１に固定する第一位置において、第一固定具６の係合突起部６３が収容される、円形の収容穴３３６が形成されている。収容穴３３６と係合孔３３５は、基板３３の上下方向（長手方向）に延び左右方向の中心を通る仮想軸（図２７において点線で示す）と同一軸上にある。
【００７７】
また、下側の係合穴３３５の下側には、第一固定具６の鉛直部６１を貫通させる四角形の基板穴３３８が形成されている。また、下側の基板穴３３８の下側には、左右方向に延び、内側に膨らむ直線状の規制部３３７が形成されている。
【００７８】
また、直線状の規制部３３７の更に下側には、第一固定具６の位置決め突起６８が貫通する、基板に形成された位置決め突起穴３３９（本発明の基板位置決め穴に相当する。）
が形成されている。つまり、位置決め突起６８は、本発明の第二位置決め突部に相当し、第二位置決め穴１６と位置決め突起穴３３９とを共に貫通するため、これにより背表紙１１と基板３３との相対的位置関係を決定する。このような形態は、第二実施形態のファイル１のように背表紙１１の幅が小さい場合に、これに用いる綴じ具２の基板３３の面積が第一実施形態に用いられるそれに比べて小さいことにより、位置決め突片３３１を設ける場所を確保することが困難な場合に用いられるとよい。
【００７９】
＜＜第一固定具＞＞
次に、図２４、図２５に加えて、図２８、図２９も参照しながら、第２実施形態に係る第一固定具６について説明する。第２実施形態に係る第一固定具６は、第二固定具７と係合して、綴じ具２をファイル本体１の背表紙１１に固定する。第一固定具６は、添接部６２、鉛直部６１、係合突起部６３、位置決め突起６８を備える。添接部６２は、平面視において上下方向に長いひし形のプレートからなり、ファイル本体１の背表紙１１の裏側に添接される。鉛直部６１は、添接部６２の中央部に形成され、添接部６２から立設しており、背表紙１１に形成された表紙穴１４とベース部材３の基板３３に形成された基板穴３３８を貫通する。鉛直部６１は、綴じ具２を背表紙１１に固定する第一位置において、第二固定具７と係合する。係合突起部６３は、円柱状であり、長手方向の一方の角部近傍から立設しており、背表紙１１に形成された第一位置決め穴１５を貫通する。また、係合突起部６３は、第二固定具７が第二位置にあるとき、綴じ具２の基板３３に形成された係合穴３３５を貫通する。係合突起部６３の頂部は、係合穴３３５と係合し易いよう、鉛直部６１側が低くなるように僅かに傾斜している。第二固定具７が第二位置にあるとき、係合突起部６３は、係合穴３３５と係合している第二固定具７の係合突部７３を押し込むことができる。その結果、係合突起部６３は、係合突部７３と係合穴３３５との係合を解除する。また、位置決め突起６８は、背表紙１１に形成された第二位置決め穴１６、基板３３に形成された位置決め突起穴３３９を貫通する。位置決め突起６８は、円柱状であり、長手方向の他方の角部近傍から立設している。
【００８０】
鉛直部６１は、断面形状が第１実施形態と基本的には同じであり、軸部６１１と、軸部６１１の頂部に添接部６２と略平行に連なる係止板６１２と、この係止板６１２の左右方向の両端部に設けられ、添接部６２側へ突出したガイド部６１３と、軸部６１１の左右方向の両側に添接部６２から立設する起立片６１４，６１４と、を備える（図１０参照）。
【００８１】
＜＜第二固定具＞＞
次に、図２４、図２５に加えて、図３０から図３２も参照しながら、第二実施形態に係る第二固定具７について説明する。第２実施形態に係る第二固定具７は、第一固定具６と係合して、綴じ具２をファイル本体１の背表紙１１に固定する。第二固定具７は、摺動案内壁との接触部７１、クサビ部７２、係合突部７３、付勢部材の受部７４、カバー部７５、押圧スライド操作部７６、を備える。
【００８２】
以下、図２４の下側の第二固定具７の向きを基準に説明する。摺動案内壁との接触部７１は、第二固定具７の左右方向の両端部の直線部分であり、摺動案内壁３３４内に収容される。摺動案内壁との接触部７１の左右方向内側には、第一位置において、鉛直部６１と係合するクサビ部７２が形成されている。クサビ部７２は、鉛直部６１の軸部６１１が貫通する、上下方向に延びる直線状の開口部７２１と、開口部７２１の左右方向の両側に形成され、鉛直部６１のガイド部６１３を収容する、上下方向に延びる直線状のガイド溝７２２を含む。ガイド溝７２２は、ガイド部６１３の断面形状に対応して設計されている。第一位置では、ガイド溝７２２へガイド部６１３が収容され、第一固定具６の鉛直部６１を構成する係止板６１２がガイド溝７２２を覆う。そのため、第二固定具７の内側方向への移動が第一固定具６によって規制されることになる。
【００８３】
押圧スライド操作部７６は、利用者が、第二固定具７を第一位置から第二位置に向けて押し込むためのもので、中央部に形成されている。押圧スライド操作部７６は、傾斜面によって構成されている。下側の第二固定具７についてみると、傾斜面は、下側から上側へ向けて徐々に高くなるように、換言すると第一位置から第二位置に向けて第二位置側が高くなるように傾斜している。更に、傾斜面には、利用者の手指等との間で摩擦力を高めるための押圧補助面７６１が形成されている。第１実施形態の押圧補助面７６１は、左右方向に延びる複数の凹凸によって構成されている。
【００８４】
押圧スライド操作部７６よりも下側（押圧スライド操作部７６とクサビ部７２との間）には、切り欠き７７が形成され、切り欠き７７には、可撓性を有する可撓板片７８が形成されている。可撓板片７８は、基端が切り欠き７７の縁のうち、押圧スライド操作部７６側の縁から下側に向けて延びている。先端は、自由端となっており、先端側には、裏側に向けて突出する係合突部７３が形成されている。係合突部７３は、第一位置において収容穴３３６内に収容され、第二位置においてベース部材３の基板３３に形成された係合穴３３５の係合端部３３５２に係合される。
【００８５】
付勢部材の受部７４は、付勢部材８の第二脚部８３と接して、付勢力を第二固定具７に伝達する。付勢部材の受部７４は、カバー部７５の基端の裏側から立設した、左右方向に延びる壁によって構成されている（図３１参照）。
【００８６】
カバー部７５は、全体として四角形の板状であり、押圧スライド操作部７６からクサビ部７２の反対側（下側の第二固定具７では上側）に向けて延びている。カバー部７５は、付勢部材８を覆うとともに、表面には操作方向を表す矢印が刻まれている。
【００８７】
＜＜綴じ具の脱着方法＞＞
次に、綴じ具２の取り外し、及び固定方法について、第一固定具６や第二固定具７の動作も交えて説明する。図２４、図２５に示すように、上側の第二固定具７のように、第一位置では、第一固定具６と第二固定具７が係合しており、綴じ具２がファイル本体１の背表紙１１に固定されている。上側の第二固定具７は、付勢部材の受部７４が付勢部材８の第二脚部と接して上側に付勢されるため、付勢部材８により、下側への移動が規制されている。また、第二固定具７における、摺動案内壁との接触部７１は、摺動案内壁３３４に収容される。そのため、上側の第二固定具７は、摺動案内壁３３４により、左右方向への移動が規制されている。また、上側の第二固定具７のクサビ部７２は、第一固定具６の鉛直部６１と係合している。そのため、鉛直部６１は、第一位置において、第二固定具７の内側方向への動きを規制するとともに、第二固定具７の上側への動きを規制している。その結果、上側の第二固定具７は、第一固定具６と係合することで、左右方向、内側、上側への移動が規制される。換言すると、第一位置では、上側の第一固定具６は、付勢力に抗う下側への移動のみが許容されている。なお、係合突部７３は、第一位置では、ベース部材３の基板３３に形成された収容穴３３６に収容されている。
【００８８】
第二固定具７を第一位置から第二位置へ移動する場合、手指等で押圧スライド操作部７６を押し込む。下側の第二固定具７については、押圧スライド操作部７６の傾斜面に手指等を当て、下側に押し込む。例えば、上側の第二固定具７の押圧スライド操作部７６に人差し指を当て、下側の第二固定具７の押圧スライド操作部７６に親指を当て、親指と人差し指と引き合わせるように夫々の第二固定具７を押し込むとよい。
【００８９】
押圧スライド操作部７６を押し込むと、第二固定具７は、第一位置から第二位置へ向けて移動を開始する。第一位置から第二位置へ移動する際も、上側の第二固定具７は、左右方向、内側、上側への移動が規制されている。第二位置への移動が開始されると、収容穴３３６内に収容されていた、可撓板片７８に形成された係合突部７３が、収容穴３３６の
下側縁に接する。更に、押圧スライド操作部７６を押し込むと、可撓板片７８が内側に撓み、これにともない可撓板片７８に形成された係合突部７３も内側に移動する。そして、係合突部７３は、収容穴３３６の下側の縁を乗り越える。更に、押圧スライド操作部７６を押し込むと、可撓板片７８に形成された係合突部７３は、収容穴３３６と同一軸線上にある係合穴３３５と係合する。係合突部７３が係合穴３３５と係合する位置が、第二位置である。
【００９０】
図２４、図２５の下側の第二固定具７のように、第二位置では、第二固定具７のクサビ部７２と第一固定具６の鉛直部６１との係合が解除される。また、係合突部７３が係合穴３３５と係合しているため、第二固定具７には付勢部材８による付勢力が作用しているものの、第二位置が維持される。その結果、第二固定具７が接続されている綴じ具２を内側に移動させることが可能となる。つまり、綴じ具２をファイル本体１の背表紙１１から取り外すことが可能となる。
【００９１】
綴じ具２をファイル本体１の背表紙１１に取り付ける場合には、基本的には上記と逆の動作になる。まず、第一固定具６の鉛直部６１が、背表紙１１に形成された表紙穴１４とベース部材３の基板３３に形成された基板穴３３８とに貫通される。次に、第二固定具７が裏側へ向けて押し込まれる。第二固定具７が裏側へ向けて押し込まれると、係合突起部６３は、綴じ具２の基板３３に形成された係合穴３３５に入り込む。係合穴３３５には係合突部７３が収容されているが、係合突起部６３が係合穴３３５に入り込むと、係合突起部６３が、第二固定具７の係合突部７３（係合穴３３５に入り込んでいる係合突部７３）を押し込む。押し込まれた係合突部７３は、係合端部３３５２との係合が解除されるとともに係合穴３３５から脱する。下側の第二固定具７には、下側への付勢力が作用しているため、下側の第二固定具７は、下側に移動し、第一位置へ至る。その結果、綴じ具２がファイル本体１の背表紙１１に固定される。
【００９２】
第２実施形態に係るファイル１０によれば、第一固定具６の鉛直部６１が基板穴３３８と表紙穴１４とを貫通した状態で、第二固定具７を基板３３上で摺動させ、第一固定具６に対して第二固定具７を相対変位することで、第一固定具６及び第二固定具７が相互に係合して綴じ具２の基板３３及びファイル本体１の背表紙１１を挟持する。つまり、第二固定具７を基板３３上で摺動させるといった単純な動作により、綴じ具２をファイル本体１の背表紙１１に取り付けることができる。また、第二固定具７を裏側へ向けて押し込むと、係合突起部６３が、綴じ具２の基板３３に形成された係合穴３３５に入り込む。係合突起部６３が係合穴３３５に入り込むと、係合突起部６３が、係合穴３３５に入り込んでいる係合突部７３を押し込むため、押し込まれた係合突部７３が、係合穴３３５から脱する。例えば、下側の第二固定具７には、下側への付勢力が作用しているため、下側の第二固定具７は、下側に移動し、第一位置へ至る。つまり、つまり、第二固定具７を裏側に押し込むといった単純な動作により、綴じ具２をファイル本体１の背表紙１１に固定することができる。
【００９３】
また、綴じ具２は、ファイル本体１から取り外すことができるため、ファイル本体１を重ねて収容できる。その結果、綴じ具２が固定されたファイル本体１を収容する場合と比較して、ファイル本体１を収容する段ボール箱のサイズを小さくすることができる。そのため、運搬コストや保管コストを低減できる。
【００９４】
また、第二固定具７が綴じ具２の基板３３に接続されているため、第二固定具７を紛失することがない。また、第二固定具７は、綴じ具２の基板３３上で第二位置から第一位置へ向かう方向の付勢力を受けている。そのため、第二固定具７は、第一位置の状態で維持されるため、綴じ具２をファイル本体１の背表紙１１に強固に固定することができる。
【００９５】
また、位置決め突起６８が第一固定具６に設けられているため、第一固定具６が背表紙１１に添接されるにあたり、係合突起部６３が第一位置決め穴１５に挿入されるとともに位置決め突起６８が第二位置決め穴１６に挿入される。そのため、より確実に第一固定具６と背表紙１１との相対的位置関係を決定することができる。更に、位置決め突起６８は第二位置決め穴１６を貫通してさらに背表紙１１に添接された基板３３の位置決め突起穴３３９にも挿入されるため、基板３３に位置決め突片３３１を設けることなく、表紙本体１の背表紙１１と綴じ具２の位置決めを行うことができる。このように、位置決め突起６８が基板穴３３８とは別の位置に設けられていることにより、鉛直部６１が第一固定具６と背表紙１１と基板３３との相対的位置関係を決定することに関与しないため、表紙穴１４を鉛直部６１の外形に合わせて設計することができる。換言すると、表紙穴１４を必要以上に大きくする必要がない。そのため、鉛直部６１を表紙穴１４にフィットさせることができ、より安定的に綴じ具２を背表紙１１に固定することができる。また、鉛直部６１の外形に対して、表紙穴１４が大きい場合、鉛直部６１の周面と表紙穴１４の内面との間に隙間が生じ、綴じ具２ががたつくことが懸念される。また、綴じ具２ががたつくと、その衝撃により、表紙穴１４が広がってしまうこともある。位置決め突起６８を第一固定具６に設け、表紙穴１４を鉛直部６１の外形に合わせて設計することで、このような問題の発生を抑制できる。
【００９６】
また、第二固定具７が固定位置側先端に押圧スライド操作部７６を有することで、第二固定具７を容易に摺動させることができる。その結果、更に容易に、綴じ具２の取り付けや取り外しを行うことが可能となる。また、押圧スライド操作部７６は、傾斜していることから、利用者の手指等を斜めにあてることができ、平面や垂直面の場合と比較して、操作性が向上する。
【００９７】
また、第二固定具７は、クサビ部７２に沿って摺動することができる。そして、押圧スライド操作部７６を幅方向の両側を囲むようにクサビ部７２のガイド溝７２２が設けられているため、利用者が押圧スライド操作部７６を押し込む際に、摺動する方向（軌道）が安定する。その結果、更に容易に、綴じ具２の取り付けや取り外しを行うことが可能となる。
【００９８】
また、押圧スライド操作部７６は、利用者の手指等との間の摩擦力を高めるための押圧補助面７６１を有している。そのため、滑り難くなり、操作性が向上する。また、綴じ具２を背表紙１１から取り外す際は、綴じ具２に接続された第二固定具７の押圧スライド操作部７６を押し込んで第二固定具７を第二位置に移動させ、そのまま第二固定具７の押圧スライド操作部７６を把持して持ち上げた方が効率がよい。押圧補助面７６１により滑りにくくなるため、第二固定具７に接続された綴じ具２を持ち上げやすくなる。
【００９９】
なお、第一実施形態に係るファイル１０は、例えば、付勢部材８、及び付勢部材の第一固定片３３２、付勢部材の第二固定片３３３を省略し、より簡易な構成としてもよい。また、例えば、係合突起部６３は、背表紙１１の内側面に設けてもよい。
【０１００】
＜第３実施形態＞
第３実施形態に係るファイル１０は、第１実施形態と同じく書類等を綴じ込むものであるが、付勢部材等を有さないため、第１実施形態に係るファイル１０よりも簡易な構成となっている。
【０１０１】
＜＜ファイル本体＞＞
図３３から図３５に示すように、ファイル本体１は、背表紙１１、表表紙１２、裏表紙１３を備える。背表紙１１は、上下方向に細長い長方形であり、内側に綴じ具２が固定される。表表紙１２及び裏表紙１３は、綴じ込まれる書類よりも一回り大きい面積を有する
長方形であり、背表紙１１の左右方向の両端部に開閉自在に夫々連なっている。背表紙１１には、後述する第二固定具の鉛直部６１が貫通する表紙穴１４が形成されている。表紙穴１４は、鉛直部６１の外形に合わせて四角形に形成されており、鉛直部６１の位置に合わせて４つ形成されている。
【０１０２】
＜＜綴じ具＞＞
図３３から図３５に加えて、図３６も参照しながら、綴じ具２について説明する。綴じ具２は、背表紙１１に固定されるベース部材３、ベース部材の側壁部３１，３１に対して着脱自在な第一綴じ部材４１、第二綴じ部材４２を備える。第一綴じ部材４１と第二綴じ部材４２が組み合わされた状態でベース部材３に取り付けられることで、書類等の綴じ込みが行われる。なお、綴じ具２の書類等を綴じる機能は、従来の綴じ具と本質的に同質である。そこで、書類等を綴じる機能に関する説明は簡単にし、固定する機能に関する構成の説明を詳しく行うものとする。
【０１０３】
ベース部材３は、背表紙１１に固定される基板３３、基板３３の左右方向の両縁に回動自在に連なるベース部材の側壁部３１，３１、ベース部材の側壁部３１，３１のそれぞれに設けられた綴込爪部３２を備える。また、第一綴じ部材４１は、第一綴じ部材の側壁部４１１、第一綴じ部材の側壁部４１１の中央部分に設けられた第一綴じ部材の窪み部４１２、第一綴じ部材の側壁部４１１から延出する２本のパイプ管４１３を有する。第二綴じ部材４２は、第二綴じ部材の側壁部４２１、第二綴じ部材の側壁部４２１の中央部分に設けられた第二綴じ部材の窪み部４２２と、第二綴じ部材の側壁部４２１から延出する足管４２３を有する。足管４２３がパイプ管４１３に挿入されることで、第一綴じ部材４１と第二綴じ部材４２が組み合わされ、そしてその組み合わされた状態で、ベース部材３のそれぞれのベース部材の側壁部３１，３１に第一綴じ部材の側壁部４１１と第二綴じ部材の側壁部４２１が接続される。具体的には、ベース部材の側壁部３１，３１のそれぞれに設けられた綴込爪部３２，３２が、第一綴じ部材の窪み部４１２と第二綴じ部材の窪み部４２２に引っ掛かり、書類等を綴じ込む状態となる（図３５参照）。なお、上記綴じ具２の構成は、一例であり、綴じ具２に代えて、他の様々な綴じ具を採用することができる。
【０１０４】
ベース部材３の基板３３には、複数種類の穴等が形成されている。左右方向の両側には、摺動案内壁３３４が対向して形成されている。摺動案内壁３３４は、上下方向に延びており、基板３３から内側に立ち上げられ、先端が折り曲げられている。摺動案内壁３３４は、第二固定具７の左右方向の両側縁を支持して、第二固定具７を第一位置と第二位置との間で摺動させる。第一位置は、綴じ具２を背表紙１１に固定する位置であり、第二位置は、綴じ具２を背表紙１１から取り外す位置である。
【０１０５】
また、摺動案内壁３３４の上側と下側には、綴じ具２を背表紙１１に固定する第一位置において、第一固定具６の鉛直部６１が貫通する四角形の基板穴３３８が合計４つ形成されている。
【０１０６】
また、基板３３の上下方向の両側縁の近傍には、両側縁に沿って、内側に膨らむ直線状の規制部３３７が形成されている。規制部３３７は、第二固定具７の移動を規制する。より詳細には、規制部３３７は、第二固定具７が、第一位置よりも更に基板３３の上下方向の両側縁側に移動しないよう第二固定具７の移動を規制する。
【０１０７】
また、摺動案内壁３３４の間には、綴じ具２を背表紙１１から取り外す第二位位置において、後述する第二固定具７の係合突部７３と係合する円形の係合穴３３５が形成されている。係合穴３３５は、基板３３の上下方向（長手方向）に延び、左右方向の中心を通る仮想軸（図３６において点線で示す）に形成されている。
【０１０８】
また、基板穴３３８の間に、かつ、上記仮想軸と同一軸状には、綴じ具２を背表紙１１に固定する第一位置において、第一固定具６の係合突部７３が収容される円形の収容穴３３６が形成されている。
【０１０９】
＜＜第一固定具＞＞
次に図３３から図３５に加えて、図３７も参照しながら、第一固定具６について説明する。第一固定具６は、後述する第二固定具７と係合して、綴じ具２をファイル本体１の背表紙１１に固定する。第一固定具６は、添接部６２、鉛直部６１を備える。添接部６２は、平面視において左右方向に長い長方形のプレートからなり、ファイル本体１の背表紙１１の裏側に添接される。鉛直部６１は、長手方向に２つ形成され、添接部６２から立設しており、背表紙１１に形成された表紙穴１４とベース部材３の基板３３に形成された基板穴３３８を貫通する。鉛直部６１は、綴じ具２を背表紙１１に固定する第一位置において、第二固定具７と係合する。
【０１１０】
鉛直部６１は、軸部６１１と、軸部６１１の頂部に添接部６２と略平行に連なる係止板６１２と、この係止板６１２の左右方向の両端部に設けられ、添接部６２側へ突出したガイド部６１３と、軸部６１１の左右方向の両側に添接部６２から立設する起立片６１４，６１４と、を備える。係止板６１２は、第一位置において、第二固定具７の内側方向への動きを規制するとともに、第二固定具７の上下方向への動きを規制する。ガイド部６１３は、第一固定位置において、第二固定具７のガイド溝７２２に収容される。軸部６１１は、添接部６２と係止板６１２とを接続する。起立片６１４，６１４は、軸部６１１を保護する。例えば、起立片６１４，６１４設けない場合、軸部６１１の側面が背表紙１１に形成された表紙穴１４の左右方向の縁と直接接触する。この場合、軸部６１１に過度の負荷がかかる虞がある。第一実施形態に係る第一固定具６は、起立片６１４，６１４を備えることで、軸部６１１への負荷を抑制することができる。
【０１１１】
＜＜第二固定具＞＞
次に、図３３から図３５に加えて、図３８、図３９も参照しながら、第二固定具７について説明する。第二固定具７は、第一固定具６と係合して、綴じ具２をファイル本体１の背表紙１１に固定する。第二固定具７は、摺動案内壁との接触部７１、クサビ部７２、係合突部７３、押圧スライド操作部７６、を備える。
【０１１２】
第二固定具７は、全体として四角形のプレート状であり、第二固定具７の左右方向の直線状の両端部が、摺動案内壁との接触部７１として機能する。摺動案内壁との接触部７１は、摺動案内壁３３４内に収容される。摺動案内壁との接触部７１の左右方向内側には、第一位置において、鉛直部６１と係合するクサビ部７２が形成されている。換言すると、クサビ部７２は、左右方向の中央に形成された押圧スライド操作部７６を囲むように、押圧スライド操作部７６の左右方向の両側に形成されている。クサビ部７２は、鉛直部６１の軸部６１１が貫通する、上下方向に延びる直線状の開口部７２１と、開口部７２１の左右方向の両側に形成され、鉛直部６１のガイド部６１３を収容する、上下方向に延びる直線状のガイド溝７２２を含む。ガイド溝７２２は、ガイド部６１３の断面形状に対応して設計されている。第一位置では、ガイド溝７２２へガイド部６１３が収容され、第一固定具６の鉛直部６１を構成する係止板６１２がガイド溝７２２を覆う。そのため、第二固定具７の内側方向への移動が第一固定具６によって規制されることになる。
【０１１３】
押圧スライド操作部７６は、利用者が、第二固定具７を第一位置から第二位置に向けて押し込むためのもので、左右方向の中央、かつ、上下方向の端部に形成されている。第３実施形態では、押圧スライド操作部７６は、手指等で押し込む際に、手指等が第一綴じ部材の側壁部４１１から延出する２本のパイプ管４１３と接触し難いように、第二固定具７の端部よりも更に突出している。より詳細には、第二位置においても、平面視において押
圧スライド操作部７６がパイプ管４１３よりも上下方向の端部側に位置するように、押圧スライド操作部７６が第二固定具７の端部よりも更に突出している。
【０１１４】
また、押圧スライド操作部７６は、傾斜面によって構成されている。傾斜面は、上下方向において端部側から中央に向けて徐々に高くなるように、換言すると第一位置から第二位置に向けて第二位置側が高くなるように傾斜している。更に、傾斜面には、利用者の手指等との間で摩擦力を高めるための押圧補助面７６１が形成されている。第１実施形態の押圧補助面７６１は、左右方向に延びる複数の凹凸によって構成されている。
【０１１５】
押圧スライド操作部７６の基端側、換言すると、クサビ部７２の間の領域には、切り欠き７７が形成されている。この切り欠き７７には、可撓性を有する可撓板片７８が形成されている。可撓板片７８は、基端が切り欠き７７の縁のうち、押圧スライド操作部７６の先端とは反対側に位置する縁に連なっている。先端は、自由端となっている。そして、自由端である先端側には、裏側に向けて突出する係合突部７３が形成されている。係合突部７３は、第一位置では、ベース部材３の基板３３に形成された収容穴３３６に収容される。また、係合突部７３は、第二位置では、ベース部材３の基板３３に形成された係合穴３３５に係合される。
【０１１６】
＜＜綴じ具の脱着方法＞＞
次に、綴じ具の取り外し、及び固定方法について、第一固定具６や第二固定具７の動作も交えて説明する。図３３、図３４、図４０、図４１に示すように、第一位置では、第一固定具６と第二固定具７が係合し、綴じ具２がファイル本体１の背表紙１１に固定されている。なお、下側の第二固定具７と上側の第二固定具７は、動作の向きが逆向きである以外は、基本的には同様の動作をする。そこで、以下の説明では、下側の第二固定具７を例に説明する。
【０１１７】
下側の第二固定具７は、摺動案内壁との接触部７１が、摺動案内壁３３４に収容される。そのため、下側の第二固定具７は、摺動案内壁３３４により、左右方向への移動が規制されている。また、第二固定具７のクサビ部７２は、第一固定具６の鉛直部６１と係合している。より詳細には、第一固定具６は、鉛直部６１が背表紙１１に形成された表紙穴１４とベース部材３の基板３３に形成された基板穴３３８を貫通している。また、鉛直部６１を構成するガイド部６１３は、第二固定具７のガイド溝７２２に収容されている。また、係止板６１２は、第一位置において、裏側がガイド溝７２２の縁と接し、上下方向の中央よりの端部がカバー部７５の端部と接している。そのため、係止板６１２は、第一位置において、第二固定具７の内側方向への動きを規制するとともに、第二固定具７の上下方向への動きを規制している。その結果、下側の第二固定具７は、第一固定具６と係合することで、左右方向、内側、下側への移動が規制される。換言すると、第一位置では、下側の第一固定具６は、上側への移動のみが許容されている。なお、係合突部７３は、第一位置では、ベース部材３の基板３３に形成された収容穴３３６に収容されている。
【０１１８】
第二固定具７を第一位置から第二位置へ移動する場合、手指等で押圧スライド操作部７６を押し込む。下側の第二固定具７については、押圧スライド操作部７６の傾斜面に手指等を当て、上側に押し込む。例えば、下側の第二固定具７の押圧スライド操作部７６に親指を当て、上側の第二固定具７の押圧スライド操作部７６に人差し指を当て、親指と人差し指と引き合わせるように夫々の第二固定具７を押し込むとよい。
【０１１９】
押圧スライド操作部７６を押し込むと、第二固定具７は、第一位置から第二位置へ向けて移動を開始する。第一位置から第二位置へ移動する際も、下側の第二固定具７は、左右方向、内側、下側への移動が規制されている。第二位置への移動が開始されると、収容穴３３６に収容された、可撓板片７８に形成された係合突部７３が、収容穴３３６の上側縁
に接する。更に、押圧スライド操作部７６を押し込むと、可撓板片７８が内側に撓み、これにともない可撓板片７８に形成された係合突部７３も内側に移動する。そして、係合突部７３は、収容穴３３６の上側の縁を乗り越える。更に、押圧スライド操作部７６を押し込むと、可撓板片７８に形成された係合突部７３は、収容穴３３６と同一軸線上にある係合穴３３５と係合する。係合突部７３が係合穴３３５と係合する位置が、第二位置である。
【０１２０】
第二位置では、第二固定具７のクサビ部７２と第一固定具６の鉛直部６１との係合が解除される。また、係合突部７３が係合穴３３５と係合しているため、第二位置が維持される。ガイド部６１３は、ガイド溝７２２から脱し、係止板６１２も裏側がガイド溝７２２の縁と離れ、係止板６１２の上側の端部もカバー部７５の端部と離れる。特に、係止板６１２は、第一位置において、第二固定具７の内側方向への動きを規制していたが、この規制が解除される。その結果、第二固定具７が接続されている綴じ具２を内側に移動させることが可能となる。つまり、綴じ具２をファイル本体１の背表紙１１から取り外すことが可能となる。
【０１２１】
綴じ具２をファイル本体１の背表紙１１に取り付ける場合には、基本的には上記と逆の動作になる。まず、第一固定具６の鉛直部６１が、背表紙１１に形成された表紙穴１４とベース部材３の基板３３に形成された基板穴３３８とに貫通される。次に、第二固定具７同士が離れるように力が加えられる。その結果、係合突部７３が、係合穴３３５の縁を乗り越え、係合穴３３５から脱する。そして、下側の第二固定具７は、下側に移動し、第一位置へ至る。すなわち、係合突部７３は、収容穴３３６に収容される。その結果、綴じ具２がファイル本体１の背表紙１１に固定される。なお、第二固定具７を第二位置から第一位置へ移動させやすくするため、押圧スライド操作部７６を第二固定具７の反対側の端部にも設けるようにしてもよい。
【０１２２】
＜＜効果＞＞
第３実施形態に係るファイル１０によれば、第一固定具６の鉛直部６１が基板穴３３８と表紙穴１４とを貫通した状態で、第二固定具７を基板３３上で摺動させ、第一固定具６に対して第二固定具７を相対変位することで、第一固定具６及び第二固定具７が相互に係合して綴じ具２の基板３３及びファイル本体１の背表紙１１を挟持する。つまり、第二固定具７を基板３３上で摺動させるといった単純な動作により、綴じ具２をファイル本体１の背表紙１１に取り付け、又は取り外すことができる。
【０１２３】
また、綴じ具２は、ファイル本体１から取り外すことができるため、ファイル本体１を重ねて収容できる。その結果、綴じ具２が固定されたファイル本体１を収容する場合と比較して、ファイル本体１を収容する段ボール箱のサイズを小さくすることができる。そのため、運搬コストや保管コストを低減できる。また、第二固定具７が綴じ具２の基板３３に接続されているため、第二固定具７を紛失することがない。
【０１２４】
また、第二固定具７が固定位置側先端に押圧スライド操作部７６を有することで、第二固定具７を容易に摺動させることができる。その結果、容易に綴じ具２の取り付けや取り外しを行うことが可能となる。また、押圧スライド操作部７６は、傾斜していることから、利用者の手指等を斜めにあてることができ、平面や垂直面の場合と比較して、操作性が向上する。
【０１２５】
また、第二固定具７は、クサビ部７２に沿って摺動することができる。そして、押圧スライド操作部７６を幅方向の両側を囲むようにクサビ部７２が設けられているため、利用者が押圧スライド操作部７６を押し込む際に、摺動する方向（軌道）が安定する。その結果、更に容易に、綴じ具２の取り付けや取り外しを行うことが可能となる。
【０１２６】
また、押圧スライド操作部７６は、利用者の手指等との間の摩擦力を高めるための押圧補助面７６１を有している。そのため、滑り難くなり、操作性が向上する。また、綴じ具２を背表紙１１から取り外す際は、綴じ具２に接続された第二固定具７の押圧スライド操作部７６を押し込んで第二固定具７を第二位置に移動させ、そのまま第二固定具７の押圧スライド操作部７６を把持して持ち上げた方が効率がよい。押圧補助面７６１により滑りにくくなるため、第二固定具７に接続された綴じ具２を持ち上げやすくなる。
【０１２７】
なお、第一固定具６は、２つの鉛直部６１とを備えるが、夫々個別の添接部６２とし、別パーツとしてもよい。
【０１２８】
以上、本発明の好適な実施形態を説明したが、本発明に係る綴じ具と表紙との固定構造、及びファイルは、種々の変更、改良、組み合わせ等が可能なことは当業者にとって自明である。
【符号の説明】
【０１２９】
１・・・ファイル本体
２・・・綴じ具
３・・・ベース部材
３３・・・基板
３３１・・・位置決め突片
３３４・・・摺動案内壁
５・・・固定具
６・・・第一固定具
６１・・・鉛直部
６２・・・添接部
６３・・・係合突起部
６８・・・位置決め突起
７・・・第二固定具
７２・・・クサビ部
７３・・・係合突部
７６・・・押圧スライド操作部
１０・・・ファイル
１１・・・背表紙
１２・・・表表紙
１３・・・裏表紙
１４・・・表紙穴
１５・・・第一位置決め穴
１６・・・第二位置決め穴
【図１】
0006475587.tif 000002
【図２】
0006475587.tif 000003
【図３】
0006475587.tif 000004
【図４】
0006475587.tif 000005
【図５】
0006475587.tif 000006
【図６】
0006475587.tif 000007
【図７】
0006475587.tif 000008
【図８】
0006475587.tif 000009
【図９】
0006475587.tif 000010
【図１０】
0006475587.tif 000011
【図１１】
0006475587.tif 000012
【図１２】
0006475587.tif 000013
【図１３】
0006475587.tif 000014
【図１４】
0006475587.tif 000015
【図１５】
0006475587.tif 000016
【図１６】
0006475587.tif 000017
【図１７】
0006475587.tif 000018
【図１８】
0006475587.tif 000019
【図１９】
0006475587.tif 000020
【図２０】
0006475587.tif 000021
【図２１】
0006475587.tif 000022
【図２２】
0006475587.tif 000023
【図２３】
0006475587.tif 000024
【図２４】
0006475587.tif 000025
【図２５】
0006475587.tif 000026
【図２６】
0006475587.tif 000027
【図２７】
0006475587.tif 000028
【図２８】
0006475587.tif 000029
【図２９】
0006475587.tif 000030
【図３０】
0006475587.tif 000031
【図３１】
0006475587.tif 000032
【図３２】
0006475587.tif 000033
【図３３】
0006475587.tif 000034
【図３４】
0006475587.tif 000035
【図３５】
0006475587.tif 000036
【図３６】
0006475587.tif 000037
【図３７】
0006475587.tif 000038
【図３８】
0006475587.tif 000039
【図３９】
0006475587.tif 000040
【図４０】
0006475587.tif 000041
【図４１】
0006475587.tif 000042